(57)【特許請求の範囲】
【請求項１】
鉛直方向下方の載置面に載置された読取媒体を副走査方向の一方側から撮像する撮像部と、
前記読取媒体に前記副走査方向の前記一方側から光を照射する光源と、
を有するオーバーヘッド型スキャナに用いられ、
前記読取媒体を鉛直方向上方から押さえる押さえ板本体と、
前記押さえ板本体の内部に配置された複数の防眩部と、
を備え、
前記押さえ板本体は、光が透過するものであり、
前記防眩部は、前記読取媒体からの反射光のうち、鉛直軸に関して前記光源からの入射光側と反対側に向けて反射する反射光を遮る
ことを特徴とする押さえ板。
【請求項２】
前記撮像部は、画像を読み取る複数の画素が主走査方向に配列されたラインセンサであり、
各前記防眩部は、読取画像を撮像する読取位置にある前記撮像部と前記読取画像とを結ぶ仮想線上に配置されており、
前記主走査方向および前記仮想線のそれぞれと直交する方向における前記防眩部の幅は、前記ラインセンサの解像度に対応する幅以下である
請求項１に記載の押さえ板。
【請求項３】
前記防眩部において、前記読取媒体からの反射光のうち、鉛直軸に関して前記光源からの入射光側と反対側に向けて反射する反射光を遮る面は、光を反射する反射面である
請求項１または２に記載の押さえ板。
【請求項４】
前記防眩部として、主走査方向に延在する第一防眩部あるいは副走査方向に延在する第二防眩部の少なくともいずれか一方を有する
請求項１から３のいずれか１項に記載の押さえ板。
【請求項５】
前記オーバーヘッド型スキャナの本体に取り付け可能である
請求項１から４のいずれか１項に記載の押さえ板。
【請求項６】
前記読取媒体側と反対側の面は、入射される光を拡散して反射する
請求項１から５のいずれか１項に記載の押さえ板。
【発明の詳細な説明】
【技術分野】
【０００１】
本発明は、押さえ板に関する。
【背景技術】
【０００２】
従来、露出した状態で載置された読取媒体を鉛直方向上方から読み取る技術が公知である。例えば、特許文献１には、原稿からの反射光を読み取る読み取り機構と、読み取り機構を原稿の上方に間隔をもって保持するアームと、アームを支持するための支持部とを含む読み取り装置の技術が開示されている。特許文献１の読み取り装置は、画像入力時において原稿を照明する照明手段を備えると記載されている。
【先行技術文献】
【特許文献】
【０００３】
【特許文献１】特開平０８−１８１８２７号公報
【発明の概要】
【発明が解決しようとする課題】
【０００４】
露出した読取媒体に光を照射すると、読取媒体で反射された反射光によって、ユーザーや読取媒体の周囲にいる人が眩しさを感じる虞がある。読取媒体からの反射光の拡散を抑制できることが望ましい。例えば、画像読取装置の撮像部に向かう方向と異なる方向への反射光の拡散を抑制できれば、周囲の人に眩しさを感じさせることを抑制することが可能となる。
【０００５】
露出した読取媒体を読み取る場合、読取媒体に凹凸やカールなどがあると、読み取った原稿画像が湾曲したり、光量ムラによる階調不均一が発生したりするなど画像品質の低下を招く虞がある。
【０００６】
本発明の目的は、画像読取装置において露出した読取媒体に光を照射するときの読取媒体からの反射光の拡散を抑制できる技術を提供することである。
【０００７】
本発明の他の目的は、画像読取装置において露出した読取媒体に光を照射するときの読取媒体からの反射光の拡散を抑制することと、露出した読取媒体を読み取る場合の画像品質の低下の抑制とを可能とする技術を提供することである。
【課題を解決するための手段】
【０００８】
本発明の押さえ板は、鉛直方向下方の載置面に載置された読取媒体を副走査方向の一方側から撮像する撮像部と、前記読取媒体に前記副走査方向の前記一方側から光を照射する光源と、を有するオーバーヘッド型スキャナに用いられ、前記読取媒体を鉛直方向上方から押さえる押さえ板本体と、前記押さえ板本体の内部に配置された複数の防眩部と、を備え、前記押さえ板本体は、光が透過するものであり、前記防眩部は、前記読取媒体からの反射光のうち、鉛直軸に関して前記光源からの入射光側と反対側に向けて反射する反射光を遮ることを特徴とする。
【０００９】
上記押さえ板において、前記撮像部は、画像を読み取る複数の画素が主走査方向に配列されたラインセンサであり、各前記防眩部は、読取画像を撮像する読取位置にある前記撮像部と前記読取画像とを結ぶ仮想線上に配置されており、前記主走査方向および前記仮想線のそれぞれと直交する方向における前記防眩部の幅は、前記ラインセンサの解像度に対応する幅以下であることが好ましい。
【００１１】
上記押さえ板において、前記防眩部において、前記読取媒体からの反射光のうち、鉛直軸に関して前記光源からの入射光側と反対側に向けて反射する反射光を遮る面は、光を反射する反射面であることが好ましい。
【００１２】
上記押さえ板において、前記防眩部として、主走査方向に延在する第一防眩部あるいは副走査方向に延在する第二防眩部の少なくともいずれか一方を有することが好ましい。
【００１３】
上記押さえ板において、前記オーバーヘッド型スキャナの本体に取り付け可能であることが好ましい。
【００１４】
上記押さえ板において、前記読取媒体側と反対側の面は、入射される光を拡散して反射することが好ましい。
【発明の効果】
【００１５】
本発明に係る押さえ板は、鉛直方向下方の載置面に載置された読取媒体を副走査方向の一方側から撮像する撮像部と、読取媒体に副走査方向の一方側から光を照射する光源と、を有するオーバーヘッド型スキャナに用いられる。押さえ板は、読取媒体を鉛直方向上方から押さえる押さえ板本体と、押さえ板本体の内部に配置された複数の防眩部と、を備える。押さえ板本体は、光が透過するものであり、防眩部は、読取媒体からの反射光のうち、鉛直軸に関して光源からの入射光側と反対側に向けて反射する反射光を遮る。よって、本発明に係る押さえ板によれば、読取媒体からの反射光の拡散を抑制できるという効果を奏する。
【図面の簡単な説明】
【００１６】
【図１】図１は、実施形態に係る画像読取装置および押さえ板を示す図である。
【図２】図２は、実施形態に係る画像読取装置の斜視図である。
【図３】図３は、実施形態に係る押さえ板の要部拡大図である。
【図４】図４は、実施形態の第１変形例に係る押さえ板を示す図である。
【図５】図５は、実施形態の第２変形例に係る画像読取装置を示す図である。
【図６】図６は、実施形態の第３変形例に係る押さえ板を示す図である。
【発明を実施するための形態】
【００１７】
以下に、本発明の実施形態に係る押さえ板につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１８】
［実施形態］
図１から図３を参照して、実施形態について説明する。本実施形態は、画像読取装置用の押さえ板に関する。図１は、実施形態に係る画像読取装置および押さえ板を示す図、図２は、実施形態に係る画像読取装置の斜視図、図３は、実施形態に係る押さえ板の要部拡大図である。図１には、回転軸Ｘと直交する断面図が示されている。
【００１９】
本実施形態に係る画像読取装置（図１の符号１参照）は、室内空間に露出した状態で載置された読取媒体（図１の符号Ｓ参照）を鉛直方向の上方から読み取る。こうした画像読取装置では、光源（図１の符号２１参照）から照射されて読取媒体Ｓによって反射された反射光が周囲に拡散し、ユーザー等が眩しさを感じる虞がある。
【００２０】
本実施形態に係る押さえ板（図１の符号１−１参照）は、拡散する反射光を遮る防眩部（図１の符号５参照）を有している。防眩部５は、鉛直軸Ｖに関して光源２１からの入射光（図１の符号７参照）側と反対側に向けて反射する反射光（図１の符号９参照）を遮る。これにより、本実施形態の押さえ板１−１は、読取媒体Ｓからの反射光の拡散を抑制し、ユーザー等が眩しさを感じることを抑制することができる。
【００２１】
図１および図２に示す画像読取装置１は、オーバーヘッド型スキャナである。図１に示すように、画像読取装置１は、本体１０および光学ユニット２０を有する。画像読取装置１は、光学ユニット２０の鉛直方向下方の載置面２に載置された読取媒体Ｓの画像を読み取ることができる。載置面２は、例えば、机の上面等の平面である。本実施形態では、画像読取装置１が載置面２と同一面上に載置される場合を例に説明するが、これに限定されるものではない。画像読取装置１が載置される箇所と、読取媒体Ｓが載置される載置面２とは異なっていてもよい。一例として、画像読取装置１は、載置面２を有する載置台を備えていてもよい。
【００２２】
本体１０は、台座部１１、支柱部１２およびカバー部１３を有する。台座部１１は、載置面２等に載置されて本体１０全体を支持するものであり、本体１０の基部である。画像読取装置１の電源スイッチや画像読取開始スイッチ等の操作部材は、例えば台座部１１に配置される。台座部１１は、例えば、扁平な形状とされており、その下面が載置面２と互いに対向するようにして設置される。本実施形態の台座部１１は、扁平な直方体あるいはこれと同様や類似の形状を有しており、幅方向（後述する主走査方向）の長さおよび奥行方向（後述する副走査方向）の長さのいずれよりも鉛直方向の長さが小さい。また、台座部１１における幅方向の長さは、奥行方向の長さよりも大きくされてもよい。
【００２３】
読取媒体Ｓは、台座部１１の側方の４面の内の１つの面である前面１１ａに読取媒体Ｓの一辺を突き当てるようにして載置される。つまり、読取媒体Ｓは、一辺が前面１１ａと平行となるようにして載置面２に載置される。本明細書では、矩形の読取媒体Ｓの一辺を前面１１ａに突き当てるようにして載置したときの読取媒体Ｓにおける前面１１ａ側の一辺と平行な方向を「幅方向」と記載する。また、読取媒体Ｓにおける前面１１ａ側の一辺と直交する辺に平行な方向を「奥行方向」と記載する。つまり、奥行方向とは、ユーザーが読取媒体Ｓを挟んで画像読取装置１と対向しているときのユーザーと画像読取装置１とが向かい合う方向である。奥行方向においてユーザーが読取媒体Ｓを挟んで画像読取装置１と向かい合う状態においてユーザーに近い側を「手前側」と記載し、ユーザーから遠い側を「奥側」と記載する。
【００２４】
支柱部１２は、台座部１１と接続されており、台座部１１から鉛直方向上方に向けて延在している。支柱部１２は、例えば、断面矩形の柱状もしくは煙突状に形成されている。支柱部１２の下部は、鉛直方向下側へ向かうに従い断面積が拡大するテーパ形状に形成されている。支柱部１２は、台座部１１の上面における１辺側に接続されている。具体的には、支柱部１２は、台座部１１の上面の縁を形成する４辺のうち読取媒体Ｓが配置される側と反対側の１辺側に接続されている。言い換えると、支柱部１２は、台座部１１における読取媒体Ｓから遠い奥側の端部に接続されている。また、支柱部１２は、台座部１１における幅方向の中央部に接続されている。
【００２５】
カバー部１３は、光学ユニット２０を回動可能に支持するものであり、光学ユニット２０を内部に収納することもできる。カバー部１３は、光学ユニット２０を鉛直方向上方から覆っている。カバー部１３は、例えば、下面に形成された凹部を有し、この凹部に光学ユニット２０を収納することができる。カバー部１３は、支柱部１２の鉛直方向上側の端部と接続されている。カバー部１３は、支柱部１２から奥行方向の手前側および幅方向の両側へ突出している。すなわち、カバー部１３は、支柱部１２から読取媒体Ｓが載置される側へ向けて張り出しており、かつ支柱部１２から幅方向の両側に張り出している。
【００２６】
画像読取装置１において、台座部１１とカバー部１３とは鉛直方向において互いに対向しており、両者における奥行方向の読取媒体Ｓ側と反対側の端部同士が支柱部１２によって接続されている。また、カバー部１３は、台座部１１よりも奥行方向の手前側に張り出している。つまり、カバー部１３の少なくとも一部は、読取媒体Ｓが台座部１１に突き当てるようにして載置面２に載置されると、その読取媒体Ｓと鉛直方向において互いに対向する。
【００２７】
光学ユニット２０は、本体１０に対して回転軸Ｘ周りに回転することができる。回転軸Ｘは、幅方向に延在している。つまり、回転軸Ｘは、前面１１ａと平行である。光学ユニット２０は、カバー部１３によって回転軸Ｘ周りに回動可能に支持されている。また、カバー部１３内には、図示しない駆動部が配置されている。駆動部は、光学ユニット２０を回転軸Ｘ周りに回転させるものである。駆動部は、例えば、電動式のモータと、モータの回転軸と光学ユニット２０とを接続するギア部とを有する。モータは、例えば、ステッピングモータであり、光学ユニット２０の回転角度を精度良く制御することができる。また、ギア部は、例えば、複数のギアの組合せからなり、モータの回転を減速して光学ユニット２０に伝達する。
【００２８】
光学ユニット２０は、光源２１および撮像部２２を含む。光源２１は、ＬＥＤ等の発光部を有しており、鉛直方向上方から読取媒体Ｓに光を照射することができる。光源２１は、例えば、主走査方向に沿って複数のＬＥＤが直線上に配置されたものであってもよい。光源２１は、読取媒体Ｓにおける読取対象ラインＬ上の画像、すなわち読取画像に対して光を照射する。撮像部２２は、例えば、ＣＣＤ（Ｃｈａｒｇｅ  Ｃｏｕｐｌｅｄ  Ｄｅｖｉｃｅ）を有するイメージセンサであり、載置面２に載置された読取媒体Ｓを撮像することができる。具体的には、撮像部２２は、読取対象ラインＬ上の読取画像によって反射されて撮像部２２に入射された反射光を光電変換により電子データに変換して読取画像の画像データを生成する。
【００２９】
回転軸Ｘと直交する半径方向において、光源２１は、撮像部２２よりも外側に配置されている。光源２１の光軸は、回転軸Ｘと直交する方向である。また、撮像部２２の光軸は、回転軸Ｘの軸方向視において光源２１の光軸と同軸上にある。つまり、撮像部２２には、回転軸Ｘの軸方向視において回転軸Ｘと直交する方向の光が入射し、この入射光がレンズを介して撮像部２２の受光面に結像する。
【００３０】
撮像部２２は、画像を読み取る複数の画素が主走査方向に配列されたラインセンサである。撮像部２２は、主走査方向が回転軸Ｘと平行な状態で光学ユニット２０に配置されている。各画素は、レンズによって受光面に結像した読取画像の光を受光し、受光した光に対応する電気信号を出力する。撮像部２２は、読取媒体Ｓの読取対象ラインＬ上の画像を読み取り、主走査方向のライン画像データを生成することができる。なお、撮像部２２のラインセンサのライン数は、単数であっても複数であってもよい。
【００３１】
画像読取装置１は、光学ユニット２０の回転軸Ｘ周りの回転位置を調節することにより、読取媒体Ｓ上における副走査方向の任意の位置の読取対象ラインＬの画像を取得することができる。画像読取装置１は、ライン画像データの取得と、光学ユニット２０を回転させることによる読取対象ラインＬの位置調整とを繰り返すことで、読取媒体Ｓ全体の画像データを取得することができる。つまり、画像読取装置１は、光源２１の照射光が原稿面上を副走査方向に走査し、かつ光が照射されている読取対象ラインＬの画像を撮像部２２が読み取ることによって読取媒体Ｓの画像を生成する。画像読取装置１は、例えば、奥行方向の奥側から手前側へ順次読取対象ラインＬの位置を移動させながら各読取対象ラインＬのライン画像を読み取ることで、読取媒体Ｓの２次元画像データを生成する。
【００３２】
画像読取装置１は、ＰＣ等の外部機器と接続可能である。画像読取装置１は、外部機器によって制御可能であり、かつ生成した画像データを外部機器に出力する機能を有している。また、画像読取装置１は、外部機器に接続されることなく単体で動作することも可能である。画像読取装置１は、生成した画像データを蓄積する記憶装置を有していてもよい。
【００３３】
ここで、露出した読取媒体Ｓを画像読取装置１によって読み取るときに、その読取媒体Ｓに凹凸やカールなどがあった場合、読み取った原稿画像が湾曲したり、光量ムラによる原稿画像の階調不均一が発生したりする虞がある。本実施形態に係る画像読取装置１では、読取媒体Ｓが載置面２上に露出した状態で読取媒体Ｓの画像が読み取られる。つまり、画像読取装置１は、露出した読取媒体Ｓに対して光源２１の光を照射し、撮像部２２に入射する読取媒体Ｓからの反射光によって読取媒体Ｓの画像を読み取る。このため、読取媒体Ｓに凹凸やカールなどがある場合、画像の読み取りにおいて品質低下が生じる虞がある。
【００３４】
符号１−１は、画像読取装置１に用いられる押さえ板である。押さえ板１−１は、読取媒体Ｓを鉛直方向上方から押さえる平板状の押さえ部材である。押さえ板１−１は、読取媒体Ｓを上方から圧迫することにより、読み取り時の読取媒体Ｓの凹凸やカールを抑制し、読取媒体Ｓの平面性を高めることができる。よって、押さえ板１−１は、読み取られた原稿画像における湾曲、ゆがみ、光量ムラによる階調不均一等を抑制することができ、画像読取装置１が生成する画像データの品質や精度を向上させることができる。また、押さえ板１−１は、読取媒体Ｓを上方から圧迫することにより、読取媒体Ｓを載置面２に対して固定することができる。よって、ユーザーは、読取媒体Ｓが動かないように手で読取媒体Ｓを押さえておく必要がないため、画像読取装置１の操作性が向上する。
【００３５】
押さえ板１−１が読取媒体Ｓを圧迫する手段は、例えば、押さえ板１−１の自重によるものであり、更に、ユーザーが押さえ板１−１を鉛直方向下方に向けて押圧することが可能であってもよい。例えば、主走査方向における押さえ板１−１の両端に把手を設けるようにしてもよい。ユーザーは、読取媒体Ｓのカールがきつい場合などにこの把手を持って、押さえ板１−１を読取媒体Ｓに向けて押圧する。把手は、押さえ板１−１に対して主走査方向の外側に突出したものとすればよい。このようにすれば、把手を画像読取装置１による読取対象領域の外部に位置させることができる。
【００３６】
押さえ板１−１は、平面状の原稿圧迫部３を有している。原稿圧迫部３は、例えば、矩形の面であり、載置面２との間に読取媒体Ｓを挟んで読取媒体Ｓの読取対象部を鉛直方向上方から押さえる。例えば、読取媒体Ｓがシート状である場合、原稿圧迫部３は読取媒体Ｓの読取対象面を鉛直方向上方から圧迫する。また、読取媒体Ｓが本や雑誌、製本された原稿、綴じられた原稿等であって、画像読取装置１の読み取り対象が読取媒体Ｓの見開き頁である場合、原稿圧迫部３は、見開きの両頁を鉛直方向上方から圧迫する。これにより、押さえ板１−１は、読み取り対象の頁の浮き上がりや湾曲等を抑制し、画像読取装置１が生成する画像データの品質や精度を向上させることができる。
【００３７】
押さえ板１−１は、例えば、ガラスやアクリル等の可視光が透過する透明材料で形成されるものとすることができる。押さえ板１−１の材料として、光源２１から照射された光の少なくとも可視光を透過させるものを用いれば、撮像部２２による読取媒体Ｓの読み取りを阻害することなく、読取媒体Ｓを押さえることが可能となる。例えば、押さえ板１−１を用いることなくユーザーが読取媒体Ｓを手で押さえる場合、ユーザーの手が読取対象領域内に入って原稿の一部として読み取られてしまう可能性がある。これに対して、本実施形態の押さえ板１−１は、光を透過させるものであることから、原稿画像に写り込んでしまうなどの実質的な影響を与えることなく読取媒体Ｓを押さえることができる。押さえ板１−１の大きさは、読取可能な最大の読取媒体Ｓのサイズよりも大きいことが好ましい。このようにすれば、押さえ板１−１によって読取媒体Ｓの全面を圧迫しておくことができる。
【００３８】
ここで、オーバーヘッド型スキャナとしての画像読取装置１によって載置面２に載置された読取媒体Ｓを読み取る場合に、読取媒体Ｓ上の照り返しにより、ユーザーが眩しさを感じる虞がある。光源２１から読取媒体Ｓに照射されて読取媒体Ｓによって反射される反射光には、ユーザーの視線の方向に反射する光がある。ユーザーが、載置面２に読取媒体Ｓをセットして画像読取装置１に読み取りを行わせているときに、読取媒体Ｓを挟んで画像読取装置１に向かい合っていると、読取媒体Ｓの読み取りがなされている間、ユーザーの方向に反射する光によって眩しさを感じ続けることとなる。
【００３９】
このように、露出した読取媒体Ｓに光を照射して読取媒体Ｓの画像を読み取る場合、従来のように画像読取装置の内部空間において読取媒体Ｓに光を照射する場合と異なり、照射光が外界に露出する。このため、ユーザーが反射光を眩しく感じてしまい、操作の快適性が損なわれる可能性がある。また、読取媒体Ｓの周囲にいる人が反射光によって眩しさを感じる虞がある。読取媒体Ｓによる照射光の拡散を抑制し、ユーザーや周囲の人が感じる眩しさを抑制できることが望ましい。
【００４０】
本実施形態の押さえ板１−１は、内部に配置された複数の防眩部５を有する。防眩部５は、例えば板状あるいは膜状である。防眩部５は、押さえ板１−１の内部に配置され、押さえ板１−１における一つの側面と平行な方向に延在している。防眩部５は、可視光を通さない材料で形成されている。防眩部５は、読取媒体Ｓからの反射光のうち、鉛直軸Ｖに関して光源２１からの入射光側と反対側に向けて反射する反射光９を遮るものである。言い換えると、防眩部５は、読取媒体Ｓからユーザー方向に反射する反射光９を遮る遮光部材である。防眩部５によって、鉛直軸Ｖに関して光源２１側と反対側に反射する反射光９が遮られることにより、ユーザーが眩しさを感じることが抑制される。
【００４１】
防眩部５は、押さえ板本体４の内部に配置されている。押さえ板本体４は、押さえ板１−１の本体部であり、少なくとも可視光が透過する材料で形成されている。押さえ板１−１は、押さえ板本体４と防眩部５とが一体に成形されたものであっても、複数の構成部材の組合せにより構成されたものであってもよい。押さえ板１−１は、例えば、樹脂等を固化させて押さえ板本体４を形成するときに各防眩部５を予め内部に配置しておき、押さえ板本体４と防眩部５とを一体に成形したものであってもよい。あるいは、押さえ板１−１は、複数の構成部材から押さえ板本体４を構成するようにして、隣接する構成部材の間に防眩部５を挟むようにして接着等により形成されてもよい。この場合、防眩部５は、構成部材の合わせ面に塗装によって形成されてもよい。
【００４２】
原稿圧迫部３は、押さえ板本体４に形成されている。より具体的には、本実施形態の押さえ板本体４は、矩形の板状の部材あるいは扁平な直方体の部材であり、その厚さ方向の一方側の面が原稿圧迫部３である。押さえ板本体４は、原稿圧迫部３によって読取媒体Ｓを鉛直方向上方から押さえる。
【００４３】
押さえ板１−１は、図１に示すように、防眩部５の延在する方向が主走査方向となるように読取媒体Ｓ上に載置される。以下の説明では、防眩部５の延在する方向が主走査方向となるように押さえ板１−１が載置されている状態を前提として押さえ板１−１について説明する。
【００４４】
各防眩部５は、互いに離間した状態で副走査方向に所定の間隔をあけて配置されている。つまり、一の防眩部５と、これに隣接する他の防眩部５とは副走査方向に間をあけて配置されている。防眩部５は、押さえ板本体４の上面６と、押さえ板本体４の下面である原稿圧迫部３とを接続するように配置されている。すなわち、防眩部５の上端は、押さえ板本体４の上部に位置しており、防眩部５の下端は、押さえ板本体４の下部に位置している。また、防眩部５は、回転軸Ｘの軸方向視において直線状であって、防眩部５の上端と下端とを結ぶ直線に対して湾曲していないものとされてもよい。
【００４５】
各防眩部５は、押さえ板本体４内において主走査方向の一端側から他端側まで直線状に延在している。例えば、防眩部５は、押さえ板本体４における主走査方向の一端面と他端面とを接続するように配置されている。
【００４６】
防眩部５は、押さえ板本体４の内部を副走査方向の奥側の領域と手前側の領域とに仕切っている。これにより、読取媒体Ｓによる反射光のうち副走査方向の手前側に向かう反射光９が防眩部５によって遮られる。また、本実施形態の防眩部５は、鉛直方向の下方から上方へ向かうに従い副走査方向の奥側へ向かう傾斜を有している。これにより、読取媒体Ｓによって副走査方向の手前側に向けて反射される反射光９がより効果的に防眩部５によって遮られる。なお、このように傾斜させる防眩部５は、副走査方向において回転軸Ｘよりも手前側に位置する防眩部５に限定されてもよい。すなわち、回転軸Ｘよりも副走査方向の奥側に位置する防眩部５については、鉛直方向の下方から上方へ向かうに従い副走査方向の奥側へ向かうように傾斜させないこととしてもよい。
【００４７】
また、防眩部５は、光源２１から読取媒体Ｓに入射する光の入射角に合わせた角度で配置されている。回転軸Ｘの軸方向視において、鉛直軸Ｖに対する防眩部５の傾斜角度θは、光源２１から読取媒体Ｓに入射する光の入射角αと同じである。鉛直軸Ｖは、載置面２の法線に対応する。ここで、入射角αは、光源２１の光軸方向に照射される光７の入射角であり、光源２１と読取対象ラインＬとを結ぶ線と読取媒体Ｓとのなす角度を示す。本実施形態では、光軸方向に照射される光７は、回転軸Ｘの回転中心と読取媒体Ｓとを回転軸Ｘの回転中心と直交する方向に結ぶ仮想線Ｌ１上を進む。
【００４８】
入射角αは、光学ユニット２０の回転位置に応じて変化する。これにより、防眩部５の傾斜角度θは、副走査方向の位置に応じて異なる角度となっている。副走査方向の手前側に位置する防眩部５の傾斜角度θは、奥側に位置する防眩部５の傾斜角度θよりも大きな角度である。入射角αに応じた傾斜角度θで防眩部５が傾斜していることにより、防眩部５が読取媒体Ｓに対する光源２１からの光を遮ることが抑制される。つまり、読取媒体Ｓの読取対象ラインＬ上に防眩部５の影が生じることが抑制される。よって、押さえ板本体４内に防眩部５が配置されたことによる読み取り精度の低下が抑制される。
【００４９】
また、防眩部５は、読取媒体Ｓによって反射されて撮像部２２に入射される光８の反射角に合わせた角度で配置されている。回転軸Ｘの軸方向視において、防眩部５の傾斜角度θは、読取媒体Ｓによって反射されて撮像部２２に入射される光８の反射角βと同じである。言い換えると、各防眩部５は、読取画像を撮像する読取位置にある撮像部２２と読取画像とを結ぶ仮想線Ｌ１上に配置されている。つまり、各防眩部５は、読取対象ラインＬを撮像する読取位置にある撮像部２２と読取対象ラインＬとを結ぶ仮想線Ｌ１上に配置されている。
【００５０】
本実施形態では、光源２１と撮像部２２とが回転軸Ｘ周りの同じ回転位置に配置されている。すなわち、回転軸Ｘの軸方向視において、光源２１の光軸方向と、撮像部２２の光軸方向とは同一である。言い換えると、光源２１の光軸方向に照射されて読取媒体Ｓに入射する光７の入射角αと、読取媒体Ｓによって反射されて撮像部２２に入射される光８の反射角βとは等しい。従って、本実施形態の防眩部５の傾斜角度θは、光源２１から光軸方向に照射されて読取媒体Ｓに入射する光７および読取媒体Ｓによって反射されて撮像部２２に入射される光８のいずれを遮ることも抑制できる角度である。
【００５１】
また、図３を参照して説明するように、防眩部５の厚さは、画像読取装置１によって生成される画像に防眩部５が写り込むことを抑制可能な大きさとされている。図３は、図１の要部拡大図である。ここで、防眩部５の厚さＷとは、主走査方向および仮想線Ｌ１のそれぞれと直交する方向（図３の符号Ｙ参照、以下、「所定方向」とも記載する。）における防眩部５の幅を示す。防眩部５の厚さＷは、撮像部２２に入射される光８に沿った防眩部５の断面形状における所定方向の最も一方側に位置する部分と、最も他方側に位置する部分との所定方向の距離である。
【００５２】
防眩部５の厚さＷは、ラインセンサである撮像部２２の解像度に対応する幅以下である。ここで、撮像部２２の解像度とは、例えば、光学解像度である。また、解像度に対応する幅とは、撮像部２２によって解像可能な最小ピッチに対応する所定方向の幅であってもよく、撮像部２２の一つの画素の幅に対応する読取画像の所定方向の幅であってもよく、撮像部２２に入射される光８の所定方向の幅であってもよく、撮像部２２に入射される光８であって撮像部２２の受光面に結像するものの所定方向の幅であってもよく、解像度に対応する読取媒体Ｓ上の１ドットの所定方向における幅であってもよく、１回のライン画像データの読み取りによって取得する読取画像の所定方向における幅であってもよい。例えば、撮像部２２の光学解像度が３００ｄｐｉである場合、防眩部５の厚さＷは、０．０８５ｍｍ以下とすることができる。
【００５３】
防眩部５の厚さＷが撮像部２２の解像度に対応する幅以下であることにより、画像読取装置１が読み取る画像に防眩部５が写り込むことが抑制される。防眩部５の写り込みを抑制する観点からは、防眩部５の厚さＷはより小さい方が好ましい。例えば、防眩部５の厚さＷを撮像部２２の解像度に対応する幅の１／２以下や１／２未満とするようにしてもよい。
【００５４】
なお、防眩部５は、厚さＷが許容される値に収まる限りにおいて、光軸方向に照射される光７あるいは撮像部２２に入射される光８に対して傾斜していてもよい。
【００５５】
防眩部５において、副走査方向の奥側を向く面（以下、単に「奥側面」と記載する。）５ａは、光を反射する反射面である。奥側面５ａは、読取媒体Ｓからの反射光のうち、鉛直軸Ｖに関して光源２１からの入射光（光軸方向に照射される光）７側と反対側に向けて反射する反射光９（図１参照）を遮る面である。言い換えると、奥側面５ａは、鉛直軸Ｖを挟んで入射光７側とは副走査方向の反対方向に反射する反射光９を遮り、かつ当該反射光９を反射する反射面である。以下の説明では、鉛直軸Ｖを挟んで入射光７側とは副走査方向の反対方向に反射する反射光９を「所定反射光」とも記載する。
【００５６】
奥側面５ａによって反射された所定反射光９の少なくとも一部は、読取対象ラインＬに入射する。つまり、読取媒体Ｓから外界に反射した光が再度読取媒体Ｓに戻される。これにより、読取対象ラインＬに照射される総光量が増加する。その結果、読取対象ラインＬにおいて反射されて撮像部２２に入射される光８の光量が増加する。従って、防眩部５が設けられていない場合よりも光源２１から照射する光量を少なくしたとしても、撮像部２２に入射される光量を十分に確保することが可能となる。その結果、撮像部２２への入射光の光量を確保しつつ光源２１が照射する光量を低減させることができる。よって、読取媒体Ｓから周囲に拡散する反射光の光量を低減させてユーザーに眩しさを感じさせることを抑制することができる。
【００５７】
奥側面５ａは、可視光を全て反射するものであっても、可視光の少なくとも一部を反射するものであってもよい。奥側面５ａが所定反射光９の少なくとも一部を反射するようにすれば、読取対象ラインＬに照射される総光量を増加させることができる。
【００５８】
奥側面５ａは、光を反射するリフレクタとしての効果が高い面とされることが好ましい。奥側面５ａは、例えば、反射率が高い塗料や材質で構成されてもよい。また、奥側面５ａは、反射率が高い表面形状、例えば平滑度が良好な面とされてもよい。
【００５９】
奥側面５ａは、凹部あるいは凸部の少なくともいずれか一方を有していてもよい。例えば、奥側面５ａは、凹部を有することにより、反射する光を読取媒体Ｓ上に集中させるようにされてもよい。あるいは、奥側面５ａは、凸部を有することにより、読取媒体Ｓからの反射光を鉛直方向の下側に向けて反射しやすくするようにされてもよい。なお、凹部あるいは凸部を設ける場合、奥側面５ａのみを湾曲させるようにしてもよいし、防眩部５全体を湾曲させることにより凹部あるいは凸部を形成するようにしてもよい。
【００６０】
ユーザーが感じる眩しさを低減する観点から、防眩部５における奥側面５ａと反対側の面、即ち副走査方向の手前側の面は、ユーザーに向かう光の反射が抑制されていることが好ましい。上記手前側の面は、例えば、光を拡散させる面とすることや、濃色の面とすることなどによりユーザーの方向に光を反射させ難くするようにしてもよい。
【００６１】
複数の防眩部５を配置する密度は、適宜定めることができる。例えば、ユーザー方向に反射される光を抑制して防眩性を高める観点からは防眩部５が密に配置されていることが好ましい。一方、防眩部５が原稿画像に写り込むことを抑制する観点からは、防眩部５が粗に配置されていることが好ましい。
【００６２】
例えば、予めユーザーの視線位置を想定しておき、少なくともこの想定視線位置に向けて反射する反射光を遮ることができるように防眩部５の配置が決定されてもよい。想定視線位置は、例えば、載置面２に対する視線の相対高さ位置や奥行方向における視線位置として設定することができる。図１を参照して説明すると、所定反射光９のうち、想定視線位置の方向に反射する反射光９ａを遮ることができるように、隣接する防眩部５の隙間の大きさを決めるようにしてもよい。この場合、所定反射光９のうちで想定視線位置の方向に反射する反射光９ａの反射角γと反射角が同じか、それよりも反射角が大きい所定反射光９を遮ることができるように各防眩部５を配置するようにすればよい。
【００６３】
押さえ板１−１の上面６には、上面６における強い反射光の発生を抑制できるように光を拡散させる処理がなされてもよい。例えば、上面６の表面に微細なシボや凹凸形状を形成すること、光を拡散させるコーティングフィルムを貼付すること、光を拡散させるコーティング材を塗布すること等によるグレア低減処理がなされてもよい。上面６に対して光を拡散させる処理がなされることにより、一定の方向（例えば、正反射方向）の強い反射光が発生することが抑制される。上面６に対する処理は、例えば、少なくとも原稿圧迫部３が光を拡散させる度合いよりも上面６が光を拡散させる度合いを高くさせるようになされてもよい。
【００６４】
押さえ板１−１は、読取媒体Ｓの全面を圧迫した状態において、副走査方向の手前側の辺が読取媒体Ｓよりも手前側に位置するだけの大きさであることが好ましい。このようにすれば、光源２１が読取媒体Ｓにおける副走査方向の最も手前側を照射するときの所定反射光を遮ることができる防眩部５１を押さえ板１−１内に配置することが可能となる。
【００６５】
なお、本実施形態では、撮像部２２が、回転軸Ｘの軸方向視において光源２１の光軸と同軸上に配置されたが、撮像部２２と光源２１との相対位置はこれに限定されるものではない。例えば、光源２１の光軸方向に照射される光７の方向と、撮像部２２に入射される光８の方向とは異なっていてもよい。この場合、防眩部５の傾斜角度θは、光源２１の光軸方向に照射される光７の入射角αと、この光７が読取媒体Ｓによって反射されて撮像部２２に入射される光８の反射角βとの間の角度、例えば中間の角度とすることができる。
【００６６】
［実施形態の第１変形例］
実施形態の第１変形例について説明する。押さえ板は、本体１０に取り付け可能とされ、または本体１０によって支持されるようにしてもよい。図４は、本変形例に係る押さえ板１−２を示す図である。押さえ板１−２は、軸部３１を有する。軸部３１は、主走査方向に延在するものであり、断面円形の棒状の部材である。押さえ板１−２は、副走査方向の奥側端部から奥側に突出する突出部３２を有している。軸部３１はこの突出部３２に接続されている。軸部３１は、本体１０によって支持される被支持部として機能することができる。
【００６７】
本体１０の台座部１１は、軸部３１を支持する支持部を有している。支持部は、例えば、軸部３１を鉛直方向の下方から支持することにより台座部１１に対する軸部３１の鉛直方向の相対位置を位置決めするものとすることができる。この場合の支持部は、回転軸Ｘの軸方向視における形状がＵ字形状の受け部とされてもよい。このようにすれば、支持部は、台座部１１に対する軸部３１の副走査方向の相対移動を規制することができる。また、押さえ板１−２を本体１０に対して取り付け及び取り外し可能なものとすることができる。
【００６８】
また、支持部は、軸部３１を回転可能に保持する軸受部であってもよい。例えば、支持部は、軸部３１と係合することによって軸部３１が径方向に移動することを規制し、かつ軸部３１が自在に回転できるように保持するものとされてもよい。ユーザーは、矢印Ｙ１に示すように軸部３１を回転中心として押さえ板１−２を回転させることができる。ユーザーは、押さえ板１−２を回転させることにより、押さえ板１−２が読取媒体Ｓを押さえた状態と、押さえ板１−２が読取媒体Ｓを圧迫していない状態とを切り替えることができる。
【００６９】
押さえ板１−２は、常時本体１０に取り付けられた状態で使用されるものであっても、本体１０に着脱可能なものとされてもよい。また、押さえ板１−２は、折りたたみ可能とされてもよい。例えば、押さえ板１−２は、副走査方向の中央部で二つ折りとすることが可能とされてもよい。押さえ板１−２を折りたたみ可能なものとすれば、読取媒体Ｓを載置面２に載置したり取り出したりするときの作業スペースが小さなもので済み、押さえ板１−２の取り扱いが容易となる。また、画像読取装置１の収納時などに押さえ板１−２を折りたたむことにより、画像読取装置１のコンパクト化を図ることができる。
【００７０】
押さえ板１−２を本体１０に対して固定可能とし、押さえ板１−２を中空に浮かせた状態で本体１０が押さえ板１−２を支持するようにしてもよい。例えば、本の見開き頁を読み取るときに、見開き頁の上に載せられた押さえ板１−２が傾斜してしまう可能性がある。押さえ板１−２が傾斜すると、防眩部５の傾斜角度θと入射角αとにずれが生じたり、防眩部５の傾斜角度θと撮像部２２に入射される光８の反射角βとにずれが生じたりしてしまう虞がある。これに対して、本体１０が押さえ板１−２を中空に浮かせた状態で載置面２と平行に押さえ板１−２を支持するようにすれば、防眩部５の傾斜角度θを適正に維持することができる。
【００７１】
また、本体１０は、押さえ板１−２を載置面２と平行に保ちながら押さえ板１−２の鉛直方向の移動を許容するガイド部を有していてもよい。このようにすれば、本等の見開き頁を押さえる場合にも押さえ板１−２を載置面２と平行に保つことが可能となる。
【００７２】
［実施形態の第２変形例］
実施形態の第２変形例について説明する。上記実施形態の光源２１および撮像部２２は、光学ユニット２０の回転に伴って読取媒体Ｓ上を走査するものであったが、これには限定されない。例えば、光源２１は、固定された状態で読取媒体Ｓの全体に光を照射するものであってもよい。図５は、本変形例に係る画像読取装置１を示す図である。画像読取装置１において、光源２１は、光学ユニット２０とは独立してカバー部１３に配置されており、読取媒体Ｓの全体に光を照射する。光源２１は、カバー部１３に対して固定されており、一定の位置で読取媒体Ｓに対して光を照射する。撮像部２２は、上記実施形態と同様に光学ユニット２０に配置されており、回転軸Ｘ周りに回転する。
【００７３】
こうした画像読取装置１に対しても、押さえ板１−１の防眩部５は、読取媒体Ｓからの反射光のうち、鉛直軸Ｖに関して光源２１からの入射光１７側と反対側に向けて反射する反射光を遮る。入射光１７は、固定された光源２１から読取媒体Ｓ上の各部に向けて入射する光である。
【００７４】
各防眩部５は、例えば、読取画像を撮像する読取位置にある撮像部２２と読取画像とを結ぶ仮想線Ｌ１上に配置されている。言い換えると、防眩部５の傾斜角度θは、読取媒体Ｓで反射されて撮像部２２に入射される光８の反射角βと同じである。また、各防眩部５は、光源２１から読取媒体Ｓ上の各部に向けて入射する光１７の進行方向に沿って配置されている。即ち、防眩部５の傾斜角度θは、光源２１から読取媒体Ｓに入射する入射光１７の入射角δに応じた角度である。これにより、光源２１から読取媒体Ｓに入射する光１７が防眩部５によって遮られること、および読取媒体Ｓで反射されて撮像部２２に入射される光８が防眩部５によって遮られることがそれぞれ抑制される。
【００７５】
また、撮像部２２は、固定された状態で読取媒体Ｓの全体を撮像するエリアイメージセンサであってもよい。この場合も、防眩部５の傾斜角度θが、読取媒体Ｓで反射されて撮像部２２に入射される光８の反射角βに基づいて設定されていれば、読取媒体Ｓで反射されて撮像部２２に入射される光８が防眩部５によって遮られることが抑制される。
【００７６】
［実施形態の第３変形例］
実施形態の第３変形例について説明する。上記実施形態の防眩部５とは異なり、本変形例の防眩部１５は、副走査方向に延在している。以下の説明では、上記実施形態の主走査方向に延在する防眩部５を「第一防眩部５」とも記載し、本変形例の副走査方向に延在する防眩部１５を「第二防眩部１５」とも記載する。第二防眩部１５は、読取媒体Ｓからの反射光が主走査方向に拡散することを抑制することができる。図６は、本変形例に係る押さえ板１−３を示す図である。図６には、図１とは異なり、奥行方向の手前側から見た押さえ板１−３が示されている。光源２１および撮像部２２の主走査方向における位置は、画像読取装置１の中央部である。押さえ板１−３は、主走査方向の中央が光源２１および撮像部２２の中央に対応するように配置される。光源２１が照射する光は、鉛直方向下側へ向かうに従い主走査方向に広がる。
【００７７】
第二防眩部１５の延在する方向は、上記実施形態の第一防眩部５の延在する方向と直交する方向、すなわち副走査方向である。各第二防眩部１５は、読取媒体Ｓからの反射光のうち、鉛直軸Ｖに関して光源２１からの入射光２７側と反対側に向けて反射する反射光２９を遮る。これにより、読取媒体Ｓからの反射光が主走査方向に拡散することが抑制される。例えば、光源２１からの光が正反射方向に拡散することが抑制される。これにより、画像読取装置１の側方に人がいたとしても、その人に眩しさを感じさせることが抑制される。
【００７８】
第二防眩部１５は、鉛直方向の下側から上側へ向かうに従い押さえ板１−３の幅方向の中央側へ向かうように傾斜している。第二防眩部１５は、読取媒体Ｓで反射されて撮像部２２に入射される光２８に沿うように傾斜している。例えば、第二防眩部１５の傾斜角度は、撮像部２２に入射される光２８の読取媒体Ｓにおける反射角と同じ角度である。これにより、第二防眩部１５が撮像部２２によって読み込まれる画像に写り込むことが抑制される。
【００７９】
また、第二防眩部１５は、光源２１から読取対象ラインＬの各部に入射する光２７に沿うように傾斜している。例えば、第二防眩部１５の傾斜角度は、読取対象ラインＬの各部に入射する光２７の入射角と同じ角度である。これにより、光源２１から読取媒体Ｓに入射する光が第二防眩部１５によって遮られることが抑制される。第二防眩部１５において、主走査方向の中央側を向く面（以下、単に「中央側面」と記載する。）１５ａは、光を反射する反射面であってもよい。中央側面１５ａは、読取媒体Ｓからの反射光のうち、鉛直軸Ｖに関して光源２１からの入射光２７側と反対側に向けて反射する反射光（所定反射光）２９を遮る面である。
【００８０】
なお、押さえ板１−３内に第一防眩部５と第二防眩部１５の両方が配置されてもよい。このようにすれば、読取媒体Ｓからの反射光の副走査方向の拡散および主走査方向の拡散がそれぞれ抑制される。
【００８１】
上記の実施形態および変形例に開示された内容は、適宜組み合わせて実施することができる。
【符号の説明】
【００８２】
１−１，１−２，１−３  押さえ板
１  画像読取装置
２  載置面
４  押さえ板本体
５  防眩部
７  光軸方向に照射される光
８  撮像部に入射される光
９  所定反射光
１０  本体
２０  光学ユニット
２１  光源
２２  撮像部
Ｌ  読取対象ライン
Ｓ  読取媒体
Ｖ  鉛直軸
Ｗ  防眩部の厚さ
【図１】
0005762153.tif 000002
【図２】
0005762153.tif 000003
【図３】
0005762153.tif 000004
【図４】
0005762153.tif 000005
【図５】
0005762153.tif 000006
【図６】
0005762153.tif 000007